(57)【要約】【課題】  ガスエンジン型管理機のガス供給ボンベの予備ボンベを予め収納しておくことで、耕耘作業中の燃料切れに対応することでガス供給ボンベの交換作業を能率よく行えるようにする。【解決手段】  機体前部に搭載され、ガスを燃料として動作するガスエンジンと、ガスエンジンにガスを供給するガス供給ボンベと、ガスエンジンから出力される動力で回転駆動される車軸と、車軸に設けられる複数の耕耘爪と、機体後部から後ろ上方に延出するハンドルフレームと、機体後部から後ろ下方に延出する抵抗棒を支持するヒッチ部を備えるガスエンジン型管理機であって、該ヒッチの後部に、ガス供給ボンベを収納する容器を取り付けた。【選択図】      図１
2012201317.tif 000002
【特許請求の範囲】
【請求項１】
機体にガスを燃料として動作するガスエンジンと、ガスエンジンにガスを供給するガス供給ボンベとを搭載し、該ガスエンジンから出力される動力で回転駆動される車軸と、車軸に設けられる複数の耕耘爪と、機体後部から後ろ上方に延出するハンドルフレームと、機体後部から後ろ下方に延出する抵抗棒を支持するヒッチ部を備えたガスエンジン型管理機であって、該ヒッチの後部に、ガス供給ボンベを一時的に収納する容器を取り付けたことを特徴とするガスエンジン型管理機。
【発明の詳細な説明】
【技術分野】
【０００１】
本発明は、ガスエンジンを搭載したガスエンジン型の管理機に係り、詳しくは、そのガス供給ボンベの一時的な収納器具に関する。
【背景技術】
【０００２】
近年、ガス供給ボンベの燃料ガスを燃料とするガスエンジンを搭載した管理機において、ガス供給ボンベをボンベ取付部に着脱可能に支持するボンベケースを、ガスエンジンの前部上方側に設けると共に、該ガス供給ボンベを横方向に支持するように構成し、該ボンベケースの側方に設けられた接続部を介して燃料供給管に燃料ガスを供給するものが知られている。（例えば、特許文献１参照）
【先行技術文献】
【特許文献】
【０００３】
【特許文献１】特開２００９−１０７４７７号公報
【発明の概要】
【発明が解決しようとする課題】
【０００４】
上述した特許文献１のガスエンジン型管理機においては、一般のガソリン燃料とする管理機に比較して排気ガスがクリーンである反面、ガス供給ボンベの一本当たりの連続稼働時間が短い（通常３０分〜４０程度）ために、耕耘作業途中でガス供給ボンベのガスが無くなった場合には、別途、ガス供給ボンベを取り換えなければならなく、圃場での耕耘作業の途中にガス供給ボンベをわざわざ離れた家や車、納屋等に取りに行かなければならず煩わしかった。
【０００５】
そこで本発明は、ガスエンジン型管理機に使用するガス供給ボンベの予備を予め機体にセットするガス供給ボンベの一時収納容器を提供することを目的とする。
【課題を解決するための手段】
【０００６】
本発明は、上記の如き実情に鑑みこれらの課題を解決することを目的として創作されたものであって、機体にガスを燃料として動作するガスエンジンと、ガスエンジンにガスを供給するガス供給ボンベとを搭載し、該ガスエンジンから出力される動力で回転駆動される車軸と、車軸に設けられる複数の耕耘爪と、機体後部から後ろ上方に延出するハンドルフレームと、機体後部から後ろ下方に延出する抵抗棒を支持するヒッチ部を備えたガスエンジン型管理機であって、該ヒッチの後部に、ガス供給ボンベを一時的に収納する容器を取り付けたことを特徴とする。
【発明の効果】
【０００７】
請求項１に係る本発明によると、機体にガスを燃料として動作するガスエンジンと、ガスエンジンにガスを供給するガス供給ボンベとを搭載し、該ガスエンジンから出力される動力で回転駆動される車軸と、車軸に設けられる複数の耕耘爪と、機体後部から後ろ上方に延出するハンドルフレームと、機体後部から後ろ下方に延出する抵抗棒を支持するヒッチ部を備えたガスエンジン型管理機であって、該ヒッチの後部に、ガス供給ボンベを一時的に収納する容器を取り付けたので、圃場での耕耘作業中にガスが無くなっても予備のガス供給ボンベをヒッチ部の後部に設けられた収納容器から取り出してガスが無くなったガス供給ボンベと交換作業を行うことで継続して耕耘作業を行うことができる。
【図面の簡単な説明】
【０００８】
【図１】本願発明の実施形態に係るガスエンジン型管理機の側面図である。
【図２】本願発明の実施形態に係るガスエンジン型管理機の平面図である。
【図３】本願発明の実施形態に係るガスエンジン型管理機のカバー部材を外した状態を示す平面図である。
【図４】本願発明の実施形態に係るガスエンジン型管理機のカバー部材を外した状態を示す右側面図である。
【図５】本願発明の実施形態に係るガスエンジン型管理機の要部左断面図である。
【図６】本願発明の実施形態に係るガスエンジン型管理機の要部正面図である。
【図７】本願発明の実施形態に係るガスエンジン型管理機の要部平面図である。
【図８】本願発明の実施形態に係るガスエンジン型管理機の要部左側面図である。
【図９】本願発明の実施形態に係るガスエンジン型管理機の要部右側面図である。
【図１０】本願発明の実施形態に係るガスエンジン型管理機のボンネットを示す斜視図である。
【図１１】本願発明の実施形態に係るガスエンジン型管理機の予備のガス供給ボンベを収納する収納容器の正面図である。
【発明を実施するための形態】
【０００９】
以下、図面に基づいて本発明の実施形態に係るガスエンジン型管理機について説明する。
【００１０】
［ガスエンジン型管理機の概略］
まず、ガスエンジン型管理機の全体構成について説明する。図１及び図２に示すように、ガスエンジン型管理機１は、上下方向に傾斜して配置されると共に、耕耘爪３ｂ等の回転体３を回転駆動可能に支持する回転軸３ａを左右に軸支するミッションケース５と、該ミッションケース５に固定され、後方側（図中右方側）となるにつれて上方に延びる二股状のハンドル６と、該ミッションケース５に固定された機台フレーム７に搭載されたガスエンジン９とを備えており、作業者がハンドル６を持って、上記ミッションケース５及びガスエンジン９などから機体２を操作するように構成されている。
【００１１】
また、ミッションケース５後方側には、本願発明の要旨で後述するガス供給ボンベＢの予備を予め収納出来る収納ケースＫを抵抗棒１２を支持するヒッチ部Ｈの後部に取り付けられている。即ち、ヒッチ部Ｈの後部にＬ字状の板部材Ｌが溶着され、該板部材Ｌに上方から嵌入出来るように、収納ケースＫの一側面に上部が塞がれ、下部が開口する係止具Ｋ１にＬ字状の板部材Ｌで掛り止めすることによって、収納ケースＫを所定の位置に支持することが出来る。該収納ケースＫは、上方に持ち手となる取っ手Ｋ２を有しており、通常３本のガス供給ボンベＢを収納出来るように、予め、収納ケースＫ内にスリットＳによって仕切られている。また、この抵抗棒１２を耕耘作業時に地中に没することで機体２の作業姿勢が安定させると共に、非作業時には立姿勢を保持するスタンドとして使用することができるように構成されている。
【００１２】
上記ハンドル６は、図２に示すように、左右両端部に把持部６ａ、６ｂを備えている。
機体左方の把持部４ｂの前方には、後述する主クラッチを操作する主クラッチレバー１１が配置されており、操作者が把持部６ａを把持する際に一緒に把持することで主クラッチの入り操作となるように構成されている。さらに、右側の把持部６ｂの前方にはスロットルレバー１０が配置されており、操作者は、該スロットルレバー１０を操作することによって、スロットルワイヤ１０ａを介して、ガスエンジン９の回転を操作できるように構成されている。
【００１３】
一方、上記ガスエンジン９（図１参照）は、ベルトカバー１３内にベルト伝動機構（不図示）を備えており、該ベルト伝動機構によってエンジン出力軸の回転駆動力が、ミッションケース５内の入力軸に伝達される。該ベルト伝動機構には、ガスエンジン９の回転駆動力の伝達を入切するベルトテンションクラッチ（不図示）が備えられており、上述したハンドル６に配置された主クラッチレバー１１の操作によってガスエンジン９の回転駆動力の伝達を入切できるように構成されている。
【００１４】
ついで、図３乃至図５に基づいて、上記ガスエンジン９への燃料ガスの供給構造について説明をする。ガスエンジン９は、ボンベ取付部２０に着脱可能に支持されるカセット型のガス供給ボンベＢ（図３参照）から供給されるプロパンガス（燃料ガス）を燃焼して駆動し得るように構成されており、上記ボンベ取付部２０は、ガスエンジン９の前部上方にて、ガスボンベＢを該ガスエンジン９の幅方向（機体左右方向）に沿って横方向に載置して取付けるように構成されている。
尚、ガス供給ボンベＢを装着時に外気が低温の環境下ではガスエンジン９の始動が困難になるために、ガス供給ボンベＢを後述するボンベケース２１の内面に市販のサーモラベルＳＢを取り付けることで、気温によるガスエンジン９始動の可否を視覚的に確認できるので、低温環境下での無駄な始動操作を回避することが可能となっている。
【００１５】
そして、ボンベ取付部２０は、機体左右方向に沿って横置きにガス供給ボンベＢを収納するボンベケース２１と、該ボンベケース２１の右端でガス供給ボンベＢと接続する接続部２２とによって構成されており、該接続部２２は、ガス供給ボンベＢのプロパンガスをガスエンジン９に供給する燃料配管２５と継ぎ手ナット２４を介して連結していると共に、該燃料配管２５へのプロパンガスの供給を入切する燃料コック２３を有している。
【００１６】
また、上記接続部２２（燃料コック２３）が配設されている機体右側（ガスエンジン型管理機の一側方）には、図３及び図４に示すように、リコイルスタータ１６が設けられていると共に、スロットルレバー１０の燃料をガスエンジン９のガバナ（不図示）に伝達するスロットルワイヤ１０ａが、燃料配管２５の下方側を通って配設されているとおり、接続部２２の下方側にはスロットルワイヤ１０ａの他端側（スロットルレバーとは反対側）の取付部が設けられている。
【００１７】
なお、上記ボンベケース２１は、図５に示すように、ガス供給ボンベＢを収納する収納ケース２１ａと、該収納ケース２１ａが取付けられる略Ｕ字状の支持部材２１ｂと、から構成されており、該支持部材２１ｂは、下方向きに突設されてガスエンジン９のクランクケース９ａに対して固定された複数の支持脚２１ｃを有している。そして、ボンベケース２１が支持部材２１ｂに支持されることによって、上記ボンベ取付部２０はガスエンジン９に固定支持されている。
【００１８】
また、ボンベ取付部２０の後方側には、ガスエンジン９から排出される排気ガスを外部に放出するマフラ１５が設けられており、該マフラ１５は、その上面、左右側面、及び後面をマフラカバー１５ｂによって覆われている。
【００１９】
［ガスエンジン型管理機のカバー構成］
次に、ガスエンジン型管理機１のカバー構成について説明をする。図６乃至図９に示すように、ガスエンジン型管理機１は、ボンベケース２１を後方側から前方上部に亘って覆うボンネット３０と、該ボンネット３０の下縁部３０ｄとその上縁部３１Ｕが接続すると共に、ボンベケース２１の下方側を覆うアンダーカバー３１と、機体右側方から上記燃料配管２５、スロットルワイヤ１０ａ及びボンベ取付部２０の接続部２２（燃料コック２３）を一体に覆うサイドカバー（カバー部材）３２とを有している。  
【００２０】
図７及び図１０に示すように、上記ボンネット３０は、ボンベケース２１を略全幅において覆っており、該ボンベケース２１を覆う前方側はボンベケース２１に沿って滑らかに湾曲している。また、その後端部はマフラ１５の上方まで延設し、作業者がマフラ１５に触れないように構成されていると共に、溝状の開口部が設けられて、カバー内の雰囲気温度が必要以上に上昇することを防止している。
【００２１】
また、ボンネット３０の上部には、ガス供給ボンベＢのキャップＣを予め保管するホルダｈが設けられていることで、ガス供給ボンベＢから外したキャップＣの紛失を防ぐことが出来、しかも、ガス供給ボンベＢを管理機に装着していることが容易に確認出来、ガス供給ボンベＢの抜き忘れを防ぐことが出来る。
【００２２】
尚、ハンドルの把持部６ａ、６ｂには、静電容量スイッチ（図示せず）を設け、作業者がハンドルを握っている事を感知して、機械が動作するように制御することで作業者の安全を図るようになっている。即ち、機械式のクラッチを電気式にすることで、クラッチを保持する力がいらず、楽に耕耘作業を行うことが出来る。
【００２３】
上述のように構成されたガスエンジン管理機のガス供給ボンベＢにあっては、耕耘作業中に万が一、ガス燃料が切れてしまっても、予め予備のガス供給ボンベＢを用意しておくことで作業能率を低下させることなく、作業を行うことが出来る。
また、空になったガス供給ボンベＢを逆に収納ケースＫに置くことで廃棄処理もスムーズに行うことも可能で、さらに、ヒッチ部Ｈからの収納ケースＫの取外しも工具を使わなくても取っ手Ｋ２を上方へ持ち上げることで容易に収納ケースＫを取り外して持ち運ぶことも可能であり、作業性を飛躍的に向上させることが出来た。
【符号の説明】
【００２４】
１        ガスエンジン管理機
３ａ      車軸
３ｂ      耕耘爪
６Ｈ      ハンドルフレーム
９        ガスエンジン
１２      抵抗棒
Ｂ        ガス供給ボンベ
Ｈ        ヒッチ
Ｋ        収納ケース
【図１】
2012201317.tif 000003
【図２】
2012201317.tif 000004
【図３】
2012201317.tif 000005
【図４】
2012201317.tif 000006
【図５】
2012201317.tif 000007
【図６】
2012201317.tif 000008
【図７】
2012201317.tif 000009
【図８】
2012201317.tif 000010
【図９】
2012201317.tif 000011
【図１０】
2012201317.tif 000012
【図１１】
2012201317.tif 000013